(57)【特許請求の範囲】
【請求項１】
セルラ通信チャネルおよびＷＬＡＮ通信チャネルを有するユーザ・デバイスにおいて無線ローカル・エリア・ネットワーク（ＷＬＡＮ）オフロードを実行するための装置であって、
前記セルラ通信チャネルを介して送信されるべきデータからＩＰパケットを形成するように構成されたアプリケーション・プロセッサと、
前記アプリケーション・プロセッサに結合されており、かつ、前記セルラ通信チャネルを介して送信されるべき前記ＩＰパケットを受信し、前記ＷＬＡＮ通信チャネルが利用可能であると決定された場合、前記ＷＬＡＮ通信チャネルを介した送信のために前記ＩＰパケットをルートするように構成されたオフロード・モジュールと、ここにおいて、前記ＷＬＡＮチャネルを介した送信のためにルートされた前記ＩＰパケットは前記セルラ通信チャネルを介して送信されず、前記オフロード・モジュールは、前記ＷＬＡＮチャネルを介した送信のためにルートされる前記ＩＰパケットにセルラ・プロトコルを適用して、メモリに記憶されるセルラ・プロトコル・パケットを形成する、
前記メモリから前記セルラ・プロトコル・パケットを受信するために結合され、かつ、前記ＷＬＡＮ通信チャネルを介して送信されるべき外部のＩＰトンネル・パケットを形成するために前記セルラ・プロトコル・パケットをカプセル化するように構成されたエンドポイントと、
前記外部のＩＰトンネル・パケットを受信するために結合され、かつ、前記ＷＬＡＮ通信チャネルを介して前記ユーザ・デバイスから前記外部のＩＰトンネル・パケットを送信するように構成されたＷＬＡＮインターフェースと
を備える装置。
【請求項２】
前記メモリは、前記ＩＰパケットを前記アプリケーション・プロセッサから前記オフロード・モジュールにパスし、前記セルラ・プロトコル・パケットを前記オフロード・モジュールから前記エンドポイントにパスするように構成される、請求項１に記載の装置。
【請求項３】
前記アプリケーション・プロセッサは、選択されたオペレーティング・システムを実行するように構成される、請求項１に記載の装置。
【請求項４】
前記データは、前記選択されたオペレーティング・システムの下で実行中のアプリケーションに関連付けられる、請求項３に記載の装置。
【請求項５】
前記オフロード・モジュールは、前記ＷＬＡＮチャネルが利用可能でないと決定された場合、前記セルラ通信チャネルを介した送信のために前記ＩＰパケットを転送するように構成される、請求項１に記載の装置。
【請求項６】
前記オフロード・モジュールは、
前記ＷＬＡＮ通信チャネルが利用可能である場合、前記ＩＰパケットが前記ＷＬＡＮ通信チャネルを介して送信されるべきであることを決定する、
前記ＷＬＡＮ通信チャネルが利用不可である場合、前記ＩＰパケットが前記セルラ通信チャネルを介して送信されるべきであることを決定する
ように構成される、請求項５に記載の装置。
【請求項７】
セルラ通信チャネルおよびＷＬＡＮ通信チャネルを有するユーザ・デバイスにおいて無線ローカル・エリア・ネットワーク（ＷＬＡＮ）オフロードを実行するための方法であって、
前記セルラ通信チャネルを介して送信されるべきデータからＩＰパケットを形成することと、
前記セルラ通信チャネルを介して送信されるべき前記ＩＰパケットを受信し、前記ＷＬＡＮ通信チャネルが利用可能であると決定された場合、前記ＷＬＡＮチャネルを介した送信のために前記ＩＰパケットをルートすることと、ここにおいて、前記ＷＬＡＮチャネルを介した送信のためにルートされる前記ＩＰパケットは前記セルラ通信チャネルを介して送信されない、
前記ＷＬＡＮチャネルを介した送信のためにルートされた前記ＩＰパケットにセルラ・プロトコルを適用して、メモリに記憶されるセルラ・プロトコル・パケットを形成することと、
前記メモリから前記セルラ・プロトコル・パケットを検索することと、
前記ＷＬＡＮ通信チャネルを介して送信されるべき外部のＩＰトンネル・パケットを形成するために前記セルラ・プロトコル・パケットをカプセル化することと、
前記ＷＬＡＮ通信チャネルを介して前記ユーザデバイスから前記外部のＩＰトンネル・パケットを送信することと
を備える、方法。
【請求項８】
前記セルラ・プロトコルを適用するために前記メモリを通じて前記ＩＰパケットをパスすることと、
前記外部のＩＰトンネル・パケットを形成するためのカプセル化のために前記メモリを通じて前記セルラ・プロトコル・パケットをパスすることと
をさらに備える、請求項７に記載の方法。
【請求項９】
選択されたオペレーティング・システムの下で実行中のアプリケーションから前記データを取得することをさらに備える、請求項７に記載の方法。
【請求項１０】
前記ＷＬＡＮ通信チャネルが前記ＷＬＡＮオフロードを実行するために利用可能であることを決定することをさらに備える、請求項７に記載の方法。
【請求項１１】
前記ＷＬＡＮ通信チャネルを介して前記外部のＩＰトンネル・パケットをセルラ・ホーム・ネットワークに送信することをさらに備える、請求項１０に記載の方法。
【請求項１２】
セルラ通信チャネルおよびＷＬＡＮ通信チャネルを有するユーザ・デバイスにおいて無線ローカル・エリア・ネットワーク（ＷＬＡＮ）オフロードを実行するための装置であって、
前記セルラ通信チャネルを介して送信されるべきデータからＩＰパケットを形成するための手段と、
前記セルラ通信チャネルを介して送信されるべき前記ＩＰパケットを受信し、前記ＷＬＡＮ通信チャネルが利用可能であると決定された場合、前記ＷＬＡＮチャネルを介した送信のために前記ＩＰパケットをルートするための手段と、ここにおいて、前記ＷＬＡＮチャネルを介した送信のためにルートされる前記ＩＰパケットは前記セルラ通信チャネルを介して送信されない、
メモリに記憶されるセルラ・プロトコル・パケットを形成するために、前記ＷＬＡＮチャネルを介した送信のためにルートされる前記ＩＰパケットにセルラプロトコルを適用するための手段と、
前記メモリから前記セルラ・プロトコル・パケットを検索するための手段と、
前記ＷＬＡＮ通信チャネルを介して送信されるべき外部のＩＰトンネル・パケットを形成するために前記セルラ・プロトコル・パケットをカプセル化するための手段と、
前記ＷＬＡＮ通信チャネルを介して前記デバイスから前記外部のＩＰトンネル・パケットを送信するための手段と
を備える装置。
【請求項１３】
前記セルラ・プロトコルを適用するために前記メモリを通じて前記ＩＰパケットをパスするための手段と、
前記外部のＩＰトンネル・パケットを形成するためのカプセル化のために前記メモリを通じて前記セルラ・プロトコル・パケットをパスするための手段と
をさらに備える、請求項１２に記載の装置。
【請求項１４】
選択されたオペレーティング・システムの下で実行中のアプリケーションから前記データを取得するための手段をさらに備える、請求項１２に記載の装置。
【請求項１５】
前記ＩＰパケットが、セルラ通信チャネルで送信されるべきか、または前記ＷＬＡＮ通信チャネルで送信されるべきかを決定するための手段をさらに備える、請求項１２に記載の装置。
【請求項１６】
前記ＷＬＡＮ通信チャネルが利用可能である場合、前記ＩＰパケットが前記ＷＬＡＮ通信チャネルを介して送信されるべきであることを決定するための手段と、
前記ＷＬＡＮ通信チャネルが利用不可である場合、前記ＩＰパケットが前記セルラ通信チャネルを介して送信されるべきであることを決定するための手段と
をさらに備える、請求項１５に記載の装置。
【請求項１７】
セルラ通信チャネルおよびＷＬＡＮ通信チャネルを有するユーザ・デバイスにおいて無線ローカル・エリア・ネットワーク（ＷＬＡＮ）オフロードを実行するためのプログラムを有するコンピュータ可読記憶媒体であって、前記プログラムは、
前記セルラ通信チャネルを介して送信されるべきデータからＩＰパケットを形成する、
前記セルラ通信チャネルを介して送信されるべき前記ＩＰパケットを受信し、前記ＷＬＡＮ通信チャネルが利用可能であると決定された場合、前記ＷＬＡＮチャネルを介した送信のために前記ＩＰパケットをルートする、ここにおいて、前記ＷＬＡＮチャネルを介した送信のためにルートされる前記ＩＰパケットは前記セルラ通信チャネルを介して送信されない、
前記ＷＬＡＮチャネルを介した送信のためにルートされる前記ＩＰパケットにセルラ・プロトコルを適用して、メモリに記憶されるセルラ・プロトコル・パケットを形成する、
前記メモリから前記セルラ・プロトコル・パケットを検索する、
前記ＷＬＡＮ通信チャネルを介して送信されるべき外部のＩＰトンネル・パケットを形成するために前記セルラ・プロトコル・パケットをカプセル化する、
前記ＷＬＡＮ通信チャネルを介して前記デバイスから前記外部のＩＰトンネル・パケットを送信する
ためにプロセッサによって実行可能なコードを備える、コンピュータ可読記憶媒体。
【請求項１８】
前記プログラムは、
前記プロセッサに、
前記セルラ・プロトコルを適用するために前記メモリを通じて前記ＩＰパケットをパスさせる、
前記外部のＩＰトンネル・パケットを形成するためのカプセル化のために前記メモリを通じて前記セルラ・プロトコル・パケットをパスさせる
ように構成されたコードをさらに備える、請求項１７に記載のコンピュータ可読記憶媒体。
【請求項１９】
前記プログラムは、
前記プロセッサに、
前記ＷＬＡＮ通信チャネルが前記ＷＬＡＮオフロードを実行するために利用可能であることを決定させるように構成されたコードをさらに備える、請求項１７に記載のコンピュータ可読記憶媒体。
【請求項２０】
前記プログラムは、
前記プロセッサに、前記ＷＬＡＮ通信チャネルを介して前記外部のＩＰトンネル・パケットをセルラ・ホーム・ネットワークに送信させるように構成されたコードをさらに備える、請求項１７に記載のコンピュータ可読記憶媒体。
【請求項２１】
セルラ通信チャネルおよびＷＬＡＮ通信チャネルを有するユーザ・デバイスにおいて無線ローカル・エリア・ネットワーク（ＷＬＡＮ）オフロードを実行するための装置であって、
前記ＷＬＡＮ通信チャネルを介して前記デバイスで外部のＩＰトンネル・パケットを受信するように構成されたＷＬＡＮインターフェースと、ここにおいて、前記外部のＩＰトンネル・パケットは、カプセル化されたセルラ・プロトコル・パケットを含む、
前記外部のＩＰトンネル・パケットから前記セルラ・プロトコル・パケットを抽出するように構成されたエンドポイントと、ここにおいて、前記セルラ・プロトコル・パケットは、メモリに記憶される、
前記メモリから前記セルラ・プロトコル・パケットを検索し、ＩＰパケットを形成するためにセルラ・プロトコルを前記セルラ・プロトコル・パケットから取り除き、前記メモリに前記ＩＰパケットを記憶するように構成されたモデム・プロセッサと、
前記メモリから前記ＩＰパケットを検索し、前記ＩＰパケットから受信されたデータを抽出するように構成されたアプリケーション・プロセッサと
を備える、装置。
【請求項２２】
前記メモリは、
前記ＩＰパケットを前記モデム・プロセッサから前記アプリケーション・プロセッサにパスし、
前記セルラ・プロトコル・パケットを前記エンドポイントから前記モデム・プロセッサにパスする
ように構成される、請求項２１に記載の装置。
【請求項２３】
前記アプリケーション・プロセッサは、選択されたオペレーティング・システムを実行するように構成される、請求項２１に記載の装置。
【請求項２４】
前記データは、前記選択されたオペレーティング・システムの下で実行中のアプリケーションに関連付けられる、請求項２３に記載の装置。
【請求項２５】
前記モデム・プロセッサは、セルラ通信チャネルを介して前記セルラ・プロトコル・パケットを通信するように構成される、請求項２１に記載の装置。
【請求項２６】
セルラ通信チャネルおよびＷＬＡＮ通信チャネルを有するユーザ・デバイスにおいて無線ローカル・エリア・ネットワーク（ＷＬＡＮ）オフロードを実行するための方法であって、
前記ＷＬＡＮ通信チャネルを介して前記デバイスで外部のＩＰトンネル・パケットを受信することと、ここにおいて、前記ＩＰトンネル・パケットは、カプセル化されたセルラ・プロトコル・パケットを含む、
前記外部のＩＰトンネル・パケットから前記セルラ・プロトコル・パケットを抽出することと、ここにおいて、前記セルラ・プロトコル・パケットは、メモリに記憶される、
前記メモリから前記セルラ・プロトコル・パケットを検索することと、
ＩＰパケットを形成するためにセルラ・プロトコルを前記セルラ・プロトコル・パケットから取り除き、前記メモリに前記ＩＰパケットを記憶することと、
前記メモリから前記ＩＰパケットを検索することと、
前記ＩＰパケットから受信されたデータを抽出することと
を備える方法。
【請求項２７】
前記ＩＰパケットを形成するために前記セルラ・プロトコルを取り除くように前記メモリを通じて前記セルラ・プロトコル・パケットをパスすることと、
前記受信されたデータを抽出するために前記メモリを通じて前記ＩＰパケットをパスすることと
をさらに備える、請求項２６に記載の方法。
【請求項２８】
選択されたオペレーティング・システムの下で実行中のアプリケーションのために前記受信されたデータを抽出することをさらに備える、請求項２６に記載の方法。
【請求項２９】
前記ＷＬＡＮ通信チャネルを介して前記外部のＩＰトンネル・パケットをセルラ・ホーム・ネットワークから受信することをさらに備える、請求項２６に記載の方法。
【請求項３０】
セルラ通信チャネルおよびＷＬＡＮ通信チャネルを有するユーザ・デバイスにおいて無線ローカル・エリア・ネットワーク（ＷＬＡＮ）オフロードを実行するための装置であって、
前記ＷＬＡＮ通信チャネルを介して前記デバイスで外部のＩＰトンネル・パケットを受信するための手段と、ここにおいて、前記ＩＰトンネル・パケットは、カプセル化されたセルラ・プロトコル・パケットを含む、
前記外部のＩＰトンネル・パケットから前記セルラ・プロトコル・パケットを抽出するための手段と、ここにおいて、前記セルラ・プロトコル・パケットは、メモリに記憶される、
前記メモリから前記セルラ・プロトコル・パケットを検索するための手段と、
ＩＰパケットを形成するためにセルラ・プロトコルを前記セルラ・プロトコル・パケットから取り除くための手段と、
前記メモリに前記ＩＰパケットを記憶するための手段と、
前記メモリから前記ＩＰパケットを検索するための手段と、
前記ＩＰパケットから受信されたデータを抽出するための手段と
を備える、装置。
【請求項３１】
前記ＩＰパケットを形成するために前記セルラ・プロトコルを取り除くように前記メモリを通じて前記セルラ・プロトコル・パケットをパスするための手段と、
前記受信されたデータを抽出するために前記メモリを通じて前記ＩＰパケットをパスするための手段と
をさらに備える、請求項３０に記載の装置。
【請求項３２】
選択されたオペレーティング・システムの下で実行中のアプリケーションのために前記受信されたデータを抽出するための手段をさらに備える、請求項３０に記載の装置。
【請求項３３】
前記ＷＬＡＮ通信チャネルを介して前記外部のＩＰトンネル・パケットをセルラ・ホーム・ネットワークから受信するための手段をさらに備える、請求項３０に記載の装置。
【請求項３４】
セルラ通信チャネルおよびＷＬＡＮ通信チャネルを有するユーザ・デバイスにおいて無線ローカル・エリア・ネットワーク（ＷＬＡＮ）オフロードを実行するためのプログラムを有するコンピュータ可読記憶媒体であって、前記プログラムは、
前記ＷＬＡＮ通信チャネルを介して前記デバイスで外部のＩＰトンネル・パケットを受信する、ここにおいて、前記ＩＰトンネル・パケットは、カプセル化されたセルラ・プロトコル・パケットを含む、
前記外部のＩＰトンネル・パケットから前記セルラ・プロトコル・パケットを抽出する、ここにおいて、前記セルラ・プロトコル・パケットは、メモリに記憶される、
前記メモリから前記セルラ・プロトコル・パケットを検索する、
ＩＰパケットを形成するためにセルラ・プロトコルを前記セルラ・プロトコル・パケットから取り除く、
前記ＩＰパケットから受信されたデータを抽出する
ためにプロセッサによって実行可能なコードを備えるコンピュータ可読記憶媒体。
【請求項３５】
前記プログラムは、
前記プロセッサに、
前記ＩＰパケットを形成するために前記セルラ・プロトコルを取り除くように前記メモリを通じて前記セルラ・プロトコル・パケットをパスさせる、
前記受信されたデータを抽出するために前記メモリを通じて前記ＩＰパケットをパスさせる
ように構成されたコードをさらに備える、請求項３４に記載のコンピュータ可読記憶媒体。
【請求項３６】
前記プログラムは、
前記プロセッサに、選択されたオペレーティング・システムの下で実行中のアプリケーションのために前記受信されたデータを抽出させるように構成されたコードをさらに備える、請求項３４に記載のコンピュータ可読記憶媒体。
【請求項３７】
前記プログラムは、
前記プロセッサに、前記ＷＬＡＮ通信チャネルを介して前記外部のＩＰトンネル・パケットをセルラ・ホーム・ネットワークから受信させるように構成されたコードをさらに備える、請求項３４に記載のコンピュータ可読記憶媒体。
【発明の詳細な説明】
【優先権の主張】
【０００１】
[0001]   本特許出願は、２０１１年３月２日に出願され、「デュアル・プロセッサのスマートフォンにおけるＷＬＡＮオフロードのためのシステムおよび方法」と題し、この譲受人に譲渡され、ここでの引用により、ここに明確に組み込まれる、米国仮特許出願番号６１／４４８，５２５からの優先権の利益を主張する。
【技術分野】
【０００２】
[0002]   本願は、一般に無線デバイスの設計または動作に関し、より具体的にはＷＬＡＮオフロードを提供する無線デバイスに関する。
【背景技術】
【０００３】
[0003]   無線デバイスは、ますますより精巧なものになってきており、前の世代より多くの利点を提供している。「スマートフォン」として知られるデバイスは、現在では通信機能を提供するだけでなく、さらなる特徴および機能を提供するためのアプリケーションをダウンロードおよび実行することも可能である。モデム・プロセッサが、セルラ通信へのサポートを提供し、アプリケーション・プロセッサが、ユーザ・インターフェースを提供し、アプリケーションを実行し、無線ローカル・エリア・ネットワーク（ＷＬＡＮ）通信をサポートするデュアル・プロセッサのチップセットを含むスマートフォンを見つけるのは現在では一般的である。
【０００４】
[0004]   より多くの無線デバイスが動作するにつれ、ネットワークのオーバーロードがセルラ・ネットワーク・オペレータへの高まる懸念となってきている。例えば、これらのサービスを利用する無線デバイスが、一般に、オペレータのホーム・ネットワークに再接続する必要があるため、多くのオペレータがカスタム・サービスを提供している。従って、ネットワーク・プロバイダによって提供されたサービスのタイプは、また、ネットワーク負荷の増加の原因にもなった。
【０００５】
[0005]   セルラ・ネットワークのオーバーロードを対処するために使用される１つの技術は、「固定と移動の融合」、または「ＷＬＡＮオフロード」と呼ばれる。例えば、無線デバイスがＷＬＡＮのカバレッジ・エリアにある場合、通常セルラ・ネットワークで送信されるであろうデータは、ＷＬＡＮネットワークにオフロードされ、それによって、セルラ・ネットワーク上の負荷が減少する。無線デバイスがＷＬＡＮのカバレッジ・エリアから出た場合、コア・セルラ・ネットワークへのデータ・サービスは、エア・インターフェースのようなセルラ・ネットワークを使用する。
【０００６】
[0006]   いくつかのネットワーク・オペレータは、現在ＷＬＡＮオフロードの解決策を提供している。例えば、１つの実現において、デバイス上で実行中のアプリケーションは、どのエア・インターフェースが、セルラ・ホーム・ネットワークと通信するために使用するアプリケーションのために利用可能かを決定するように構成される。その後、アプリケーションは、どの技術を使用するかをオペレーティング・システムに指定する必要があり、オペレーティング・システムは、適切なプロトコルを用いてパケットをフォーマットし、決定されたエア・インターフェースを使用して送信のためのパケットを転送する必要がある。アプリケーションによるそのような動作は、非効率的であり、デバイス上で実行するオペレーティング・システムおよび／またはアプリケーションへの修正またはアップデートが必要となり得る。
【０００７】
[0007]   残念ながら、効率的なＷＬＡＮオフロードを提供する既存の技術で十分に対処されていない、いくつかの更なる問題がある。例えば、ＷＬＡＮオフロードは、異なるハンドセット・ベンダによって提供されるプロセッサ構成から独立して動作すべきである。ＷＬＡＮオフロードは、また、セルラ・ネットワークによって使用されるセルラ技術とは無関係に動作し、無線デバイス上で実行中のオペレーティング・システム（ＯＳ）から独立して動作すべきである。さらに、エンド・ユーザのアプリケーションは、コア・ネットワークにパケットを移送するために、およびコア・ネットワークからパケットを移送するために使用される、基となるエア・インターフェースが、セルラ・エア・インターフェースであるかどうか、あるいはＷＬＡＮエア・インターフェースであるかどうかでさえ認識していない。
【０００８】
[0008]   従って、効率的なＷＬＡＮを促進し、上記取り組まれている問題を克服するデバイス・アーキテクチャを有することが望ましいだろう。
【発明の概要】
【０００９】
[0009]   様々な例示的な実施形態において、新しいアーキテクチャが無線デバイスにおけるＷＬＡＮオフロードのために提供される。
【００１０】
[0010]   一態様において、装置は、ＷＬＡＮオフロードを実行するために提供される。前記装置は、送信されるべきデータからＩＰパケットを形成するように構成されたアプリケーション・セクションと、セルラ・プロトコル・パケットを形成するためにセルラ・プロトコルをＩＰパケットに適用するように構成されたモデム・セクションと、外部のＩＰトンネル・パケットを形成するためにセルラ・プロトコル・パケットをカプセル化するように構成されたエンドポイントと、ＷＬＡＮ通信チャネルを介して外部のＩＰトンネル・パケットを送信するように構成されたＷＬＡＮインターフェースとを備える。
【００１１】
[0011]   一態様において、方法は、ＷＬＡＮオフロードを実行するために提供される。前記方法は、送信されるべきデータからＩＰパケットを形成することと、セルラ・プロトコル・パケットを形成するためにセルラ・プロトコルをＩＰパケットに適用することと、外部のＩＰトンネル・パケットを形成するためにセルラ・プロトコル・パケットをカプセル化することと、ＷＬＡＮ通信チャネルを介して外部のＩＰトンネル・パケットを送信することとを備える。
【００１２】
[0012]   一態様において、装置は、ＷＬＡＮオフロードを実行するために提供される。前記装置は、送信されるべきデータからＩＰパケットを形成するための手段と、セルラ・プロトコル・パケットを形成するためにセルラ・プロトコルをＩＰパケットに適用するための手段と、外部のＩＰトンネル・パケットを形成するためにセルラ・プロトコル・パケットをカプセル化するための手段と、ＷＬＡＮ通信チャネルを介して外部のＩＰトンネル・パケットを送信するための手段とを備える。
【００１３】
[0013]   一態様において、コンピュータ・プログラム製品は、ＷＬＡＮオフロードを実行するために提供される。前記コンピュータ・プログラム製品は、送信されるべきデータからＩＰパケットを形成する、セルラ・プロトコル・パケットを形成するためにセルラ・プロトコルをＩＰパケットに適用する、外部のＩＰトンネル・パケットを形成するためにセルラ・プロトコル・パケットをカプセル化する、ＷＬＡＮ通信チャネルを介して外部のＩＰトンネル・パケットを送信するためのプロセッサによって実行可能なコードを具体化する非一時的なコンピュータ可読媒体を備える。
【００１４】
[0014]   一態様において、装置は、ＷＬＡＮオフロードを実行するために提供される。前記装置は、ＷＬＡＮ通信チャネルを介して外部のＩＰトンネル・パケットを受信するように構成されたＷＬＡＮインターフェースと、外部のＩＰトンネル・パケットからセルラ・プロトコル・パケットを抽出するように構成されたエンドポイントと、ＩＰパケットを形成するためにセルラ・プロトコル・パケットからセルラ・プロトコルを取り除くように構成されたモデム・プロセッサと、ＩＰパケットから受信されたデータを抽出するように構成されたアプリケーション・プロセッサとを備える。
【００１５】
[0015]   さらに別の態様において、方法は、ＷＬＡＮオフロードを実行するために提供される。前記方法は、ＷＬＡＮ通信チャネルを介して外部のＩＰトンネル・パケットを受信することと、外部のＩＰトンネル・パケットからセルラ・プロトコル・パケットを抽出することと、ＩＰパケットを形成するためにセルラ・プロトコル・パケットからセルラ・プロトコルを取り除くことと、ＩＰパケットから受信されたデータを抽出することとを備える。
【図面の簡単な説明】
【００１６】
[0016]   本願で記載されている上記態様は、添付図面と併用される場合、以下の説明を参照することによって、より容易に理解されるだろう。
【００１７】
[0017] 
【図１】図１は、新しいＷＬＡＮオフロード・アーキテクチャの例示的な実施形態を有するデバイスを備える例示的な通信ネットワークを示す。
【００１８】
[0018] 
【図２】図２は、ＷＬＡＮオフロード・アーキテクチャの例示的な実施形態を備えるデバイスを示す。
【００１９】
[0019] 
【図３】図３は、ＷＬＡＮオフロードを提供するように動作する新しいＷＬＡＮオフロード・アーキテクチャおよびデバイスを備えるネットワーク構成の例示的な実施形態を示す。
【００２０】
[0020] 
【図４】図４は、ＷＬＡＮオフロード・アーキテクチャとともに使用するためのプロトコル・スタックの例示的な実施形態を示す。
【００２１】
[0021] 
【図５】図５は、ＷＬＡＮオフロード・アーキテクチャとともに使用するためのコール・フローの例示的な実施形態を示す。
【００２２】
[0022] 
【図６】図６は、ＷＬＡＮオフロード・アーキテクチャの例示的な実現を示す。
【００２３】
[0023] 
【図７】図７は、ＷＬＡＮオフロード・アーキテクチャとともに使用するためのメッセージ・フォーマットの例示的な実施形態を示す。
【００２４】
【図８】図８は、ＷＬＡＮオフロード・アーキテクチャとともに使用するためのメッセージ・フォーマットの例示的な実施形態を示す。
【００２５】
【図９】図９は、ＷＬＡＮオフロード・アーキテクチャとともに使用するためのメッセージ・フォーマットの例示的な実施形態を示す。
【００２６】
【図１０】図１０は、ＷＬＡＮオフロード・アーキテクチャとともに使用するためのメッセージ・フォーマットの例示的な実施形態を示す。
【００２７】
【図１１】図１１は、ＷＬＡＮオフロード・アーキテクチャとともに使用するためのメッセージ・フォーマットの例示的な実施形態を示す。
【００２８】
【図１２】図１２は、ＷＬＡＮオフロード・アーキテクチャとともに使用するためのメッセージ・フォーマットの例示的な実施形態を示す。
【００２９】
【図１３】図１３は、ＷＬＡＮオフロード・アーキテクチャとともに使用するためのメッセージ・フォーマットの例示的な実施形態を示す。
【００３０】
【図１４】図１４は、ＷＬＡＮオフロード・アーキテクチャとともに使用するためのメッセージ・フォーマットの例示的な実施形態を示す。
【００３１】
【図１５】図１５は、ＷＬＡＮオフロード・アーキテクチャとともに使用するためのメッセージ・フォーマットの例示的な実施形態を示す。
【００３２】
【図１６】図１６は、ＷＬＡＮオフロード・アーキテクチャとともに使用するためのメッセージ・フォーマットの例示的な実施形態を示す。
【００３３】
【図１７】図１７は、ＷＬＡＮオフロード・アーキテクチャとともに使用するためのメッセージ・フォーマットの例示的な実施形態を示す。
【００３４】
【図１８】図１８は、ＷＬＡＮオフロード・アーキテクチャとともに使用するためのメッセージ・フォーマットの例示的な実施形態を示す。
【００３５】
[0024] 
【図１９】図１９は、ＷＬＡＮオフロード・アーキテクチャの例示的な実施形態で使用するデータを送信するための例示的な方法を示す。
【００３６】
[0025] 
【図２０】図２０は、ＷＬＡＮオフロード・アーキテクチャの例示的な実施形態で使用するデータを受信するための例示的な方法を示す。
【００３７】
[0026] 
【図２１】図２１は、ＷＬＡＮオフロードを実行するための例示的な装置を示す。
【００３８】
[0027] 
【図２２】図２２は、ＷＬＡＮオフロード実行するための例示的な装置を示す。
【詳細な説明】
【００３９】
[0028]   添付図面とともに以下に説明する詳細説明は、本発明の例示的な実施形態の説明として意図されており、本発明が実施されることができる実施形態のみを表すことは意図されていない。本明細書の全体にわたって用いられる「例示的」という用語は、「例、事例、または例示を提供する」を意味し、他の例示的な実施形態に対して必ずしも好ましいまたは有利であるようには解釈されるべきではない。詳細な説明は、本発明の例示的な実施形態の徹底した理解を提供することを目的とした特定の詳細を含む。本発明の例示的な実施形態は、これらの特定の詳細なしで実施され得ることを当業者は理解するだろう。いくつかの事例では、周知の構造およびデバイスが、ここに示される例示的な実施形態の新規性を曖昧にすることを避けるためにブロック図形式で示される。
【００４０】
[0029]   図１は、新しいＷＬＡＮオフロード・アーキテクチャ１１８の例示的な実施形態を有するデバイス１０２を備える例示的な通信ネットワーク１００を示す。デバイス１０２は、セルラ・チャネル１０６を使用してセルラ基地局１０４と通信するように構成される。デバイス１０２は、また、ＷＬＡＮチャネル１１０を使用してＷＬＡＮホットスポット１０８と通信するように構成される。セルラ基地局１０４は、デバイス１０２への通信およびデータ・サービスを提供するセルラ・ネットワーク１１２と接続される。ホットスポット１０８は、デバイス１０２に様々なサービスを提供することができるインターネット１１４に接続される。リンク１１６は、セルラ・ネットワーク１１２とインターネット１１４の間の通信を可能にする。
【００４１】
[0030]   デバイス１０２は、セルラ・チャネル１０６からＷＬＡＮ通信チャネル１１０へのセルラ・データ通信をオフロードするように構成される新しいＷＬＡＮオフロード・アーキテクチャ１１８を備える。例えば、デバイス１０２がホットスポット１０８のカバレッジ・エリア内にある間、ＷＬＡＮオフロード・アーキテクチャ１１８は、ホットスポット１０８およびインターネット１１４を通してセルラ・ホーム・ネットワーク１１２へのトラヒックをルート（route）するようにデバイス１０２上で動作する。結果として、セルラ・ネットワーク上のトラヒック混雑（traffic congestion）が減少する。
【００４２】
[0031]   様々な実施形態において、ＷＬＡＮオフロード・アーキテクチャ１１８は、無線デバイス１０２によって提供されるプロセッサ構成から独立したＷＬＡＮオフロードを提供するように構成される。ＷＬＡＮオフロード・アーキテクチャ１１８は、無線デバイス１０２上で実行中のＯＳおよびセルラ通信チャネル１０６を提供するために使用されるセルラ技術とは無関係に動作する。さらに、デバイス１０２上で実行中のアプリケーションは、コア・ネットワーク１１２にパケットを移送するために、およびコア・ネットワーク１１２からパケットを移送するために使用される、基となるエア・インターフェースが、セルラ・エア・インターフェース・チャネル１０６であるかどうか、あるいはＷＬＡＮエア・インターフェース・チャネル１１０であるかどうかを認識していない。ＷＬＡＮオフロード・アーキテクチャの設計および動作は、以下により詳細に説明にされている。
【００４３】
[0032]   従って、提供される新しいＷＬＡＮオフロード・アーキテクチャは、ＷＬＡＮオフロードを使用してデバイスとセルラ・ネットワーク間のパケット・データ・サービスを提供するように動作可能である。例えば、新しいアーキテクチャ１１８は、セルラ・エア・インターフェース上の混雑を軽減するために、ＷＬＡＮの利用可能性に基づいてパケット・データ・トラヒックをオフロードするように動作する。アーキテクチャは、セルラ技術または搬送波に関係なく、ＷＬＡＮオフロードを提供するように修正および／または拡張されることができる。それは、また、デバイス１０２上で実行中の任意のオペレーティング・システムまたはアプリケーションにも適用可能である。
【００４４】
[0033]   図２は、新しいＷＬＡＮオフロード・アーキテクチャの例示的な実施形態を備えるデバイス２００を示す。例えば、デバイス２００は、図１に示されるデバイス１０２のように使用するのに適している。デバイス２００は、アプリケーション・セクション２０２およびモデム・セクション２０４を備える。アプリケーション・セクション２０２は、デバイス２００上でアプリケーション２３０を実行するように動作するオペレーティング・システム・モジュール２０６を備える。例えば、オペレーティング・システム・モジュール２０６は、Windows（登録商標）MobiIe、Android、LIMO、MeeGoのようなＯＳ、または他の適切なＯＳを実行する。オペレーティング・システム・モジュール２０６は、ＷＬＡＮチャネル２２４を使用してＷＬＡＮホットスポットとのＷＬＡＮ通信を提供するＷＬＡＮインターフェース２１２と通信するために接続される。オペレーティング・システム・モジュール２０６は、また、モデム・インターフェース２０８と通信するために接続される。モデム・インターフェース２０８は、モデム・セクション２０４によって提供されたセルラ・チャネル２２６を使用してパケットを送受信するためのパイプライン・メモリ２２２を使用して、モデム・セクション２０４と通信する。
【００４５】
[0034]   モデム・セクション２０４は、送信のためのパケットに通信プロトコル２３２を適用するように動作するオペレーティング・システム・モジュール２１４を備える。例えば、プロトコルは、全ての３ｇｐｐのＬＴＥ／ＵＭＴＳ／ＧＳＭ（登録商標）技術、または全ての３ｇｐｐ２のＥＨＲＰＤ／ＥＶＤＯ／１ｘ／ＩＳ９５技術のような様々な無線技術をサポートする。別の実施形態において、プロトコルは、マルチモード動作を提供するために、全てのＬＴＥ／ＵＭＴＳ／ＧＳＭ／ＥＨＲＰＤ／ＥＶＤＯ／１ｘ／ＩＳ９５技術をサポートする。オペレーティング・システム・モジュール２１４は、セルラ・インターフェース２２０と通信するために接続される。セルラ・インターフェース２２０は、セルラ・チャネル２２６および通信プロトコルを使用してセルラ基地局とのセルラ通信を提供する。
【００４６】
[0035]   オフロード・モジュール２１６は、メモリ２２２とオペレーティング・システム・モジュール２１４との間に接続される。オフロード・モジュール２１６は、セルラ・インターフェース２２０を使用してセルラ・ネットワークで送信されるべきアプリケーション・セクション２０２からデータを受信する。オフロード・モジュール２１６は、また、モデム・エンドポイント２１８と通信するために接続される。モデム・エンドポイント２１８は、メモリ２２２を使用してアプリケーション・エンドポイント２１０と通信する。オフロード・モジュール２１６は、オペレーティング・システム・モジュール２１４またはモデム・エンドポイント２１８にデータをルートするように動作する。
【００４７】
[0036]   動作中、デバイス１０２は、セルラ・ネットワーク上の混雑を減少するために、ＷＬＡＮオフロードを提供するように動作する。例えば、アプリケーション２３０は、セルラ・ネットワーク上で送信のためのデータを出力するために、オペレーティング・システム２０６と通信する。例えば、アプリケーション２３０から生じるデータ・パケットは、オペレーティング・システム２０６によって処理され、ＩＰパケットを形成するために、ＩＰスタックを下る（travel down）。ＩＰパケットは、パス２２８をたどる。データは、メモリ２２２を使用してモデム・セクション２０４にデータを転送するモデム・インターフェース２０８によって受信される。
【００４８】
[0037]   オフロード・モジュール２１６は、メモリ２２２からデータを受信し、データがセルラ・ネットワーク上で送信されるべきか、あるいは利用可能なＷＬＡＮネットワーク上で送信されるべきかの決定を下す。例えば、オフロード・モジュール２１６は、デバイスが利用可能な現在のネットワーク接続を認識しており、利用可能な接続に基づいて決定を下す。
【００４９】
[0038]   例示的な実施形態において、オフロード・モジュール２１６は、データはセルラ・ネットワーク上で送信されるべきであると決定し、データをオペレーティング・システム２１４に転送する。オペレーティング・システム２１４は、適切なプロトコルを適用し、セルラ・チャネル２２６を介して送信のためのセルラ・インターフェース２２０にパケットを転送する。
【００５０】
[0039]   別の例示的な実施形態において、オフロード・モジュール２１６は、データは利用可能なＷＬＡＮチャネル２２４を介して送信されるべきであると決定する。オフロード・モジュールは、その後、適切なセルラ・キャリア専用層（cellular carrier proprietary layers）および／またはセルラ３ｇｐｐ／３ｇｐｐ２プロトコルを適用するためにＩＰパケットを処理する。例えば、オフロード・モジュール２１６は、適切なプロトコルをパケットに適用するためにオペレーティング・システム２１４と通信し得る。従って、パケットは、ここで、それらの上にキャリア専用層および／または３ｇｐｐ／３ｇｐｐ２層のヘッダを有する。オフロード・モジュール２１６は、データがその後メモリ２２２を通してアプリケーション・エンドポイント２１０に転送されるモデム・エンドポイント２１８にデータをパスする。
【００５１】
[0040]   アプリケーション・エンドポイント２１０は、更なるＩＰプロトコルを適用し、利用可能なＷＬＡＮチャネル２２４を介してデータをインターネットに送信するＷＬＡＮインターフェース２１２にデータをパスする。例えば、アプリケーション・エンドポイント２１０は、パケットを外部のトンネルＩＰパケットでカプセル化し、これらの外部のＩＰトンネル・パケットを、ＷＬＡＮチャネル２２４を介してインターネットに送り出されるＷＬＡＮインターフェース２１２に送る。一度インターネットで受信されると、データは、適用されたプロトコルに基づいて選択されたゲートウェイによってセルラ・ホーム・ネットワークに転送される。
【００５２】
[0041]   デバイス２００のモジュールおよび機能ブロックは、ハードウェアおよび／またはソフトウェアに存在しているハードウェアによって実現され得ることに注意すべきである。従って、様々な例示的な実現において、アプリケーション・セクション２０２およびモデム・セクション２０４の各々は、適切なソフトウェアに存在している１つ以上のプロセッサによって実現されることができる。例えば、例示的な実施形態において、オペレーティング・システム・モジュール２０６および２１４は、プロセッサ、ＣＰＵ、ゲートアレイ、離散ハードウェア、ロジック、メモリ、および／または任意の他の適切なハードウェアのうちの少なくとも１つを備え、それら全ては、スタンドアロン・モード中に動作することによって、および／またはメモリに記憶されたあるいは具現化された命令またはコードのうちの１つ以上のセットを実行することによって、本願の機能を実行するように構成される。
【００５３】
[0042]   従って、デバイス２００のＷＬＡＮオフロード・アーキテクチャは、利用可能なＷＬＡＮチャネルを介してデータを送信することによってセルラ・ネットワークをオフロードするように動作する。処理は、セルラ・ホーム・ネットワークからＷＬＡＮチャネルを介して受信されたデータに対して逆になる。例えば、ＷＬＡＮチャネル２２４を介して受信されたデータは、適切なＩＰおよびセルラ・プロトコルでカプセル化される。データは、ＩＰプロトコル・ヘッダーがアプリケーション・エンドポイント２１０で取り除かれ、セルラ・プロトコル・ヘッダーがモデム・エンドポイント２１８およびオフロード・モジュール２１６で取り除かれる逆方向のパス２２８に沿ってＷＬＡＮインターフェース２１２からフローする。その後、受信されたデータは、モデム・インターフェース２０８にメモリ２２２を通してフロー・バックし、最終的にデータを適切なアプリケーション２３０にパスするオペレーティング・システム２０６にフロー・バックされる。新しいＷＬＡＮオフロード・アーキテクチャの動作のより詳細な説明は、以下に提供されている。  
[0043]   図３は、ＷＬＡＮオフロードを提供するように動作する新しいＷＬＡＮオフロード・アーキテクチャ１１８およびデバイス１０２を備えるネットワーク構成３００の例示的な実施形態を示す。ＷＬＡＮチャネル３０２が、ＷＬＡＮホットスポット３１０経由でデバイス１０２に利用可能である場合の期間中、オフロード・アーキテクチャ１１８は、セルラ・チャネル上のオーバーロードを減らすために、ＷＬＡＮチャネル３０２およびＷＬＡＮホットスポット３１０を使用してセルラ・ホーム・ネットワーク３０４との通信を提供する。
【００５４】
[0044]   ＷＬＡＮオフロード中、オフロード・アーキテクチャ１１８は、セルラ・ホーム・ネットワーク３０４のｗＰＤＩＦとの通信を確立するためにデバイス１０２で動作する。ｗＰＤＩＦ ３０８は、ＰＤＳＮ ３１０と通信する。また、示されているのは、セルラ基地局３１４およびＡＮ−ＡＡＡ３１６である。逆方向リンク上のパケット・ルーティング（packet routing）中、ＩＰヘッダは、ゲートウェイ３０８へのパケットを取得するために使用される。ゲートウェイ３０８は、その後、セル・ヘッダーを見て、それに応じてパケットをセルラ・ホーム・ネットワーク３０４にルートする。例示的な実施形態において、アプリケーション・エンドポイント２１０は、パケットをゲートウェイ３０８に送るように機能する。
【００５５】
システムの特徴および機能 
[0045]   新しいＷＬＡＮオフロード・アーキテクチャは、様々なＷＬＡＮオフロード機構に拡張されることができる。以下にリストされたものは、ＷＬＡＮオフロード・アーキテクチャの実施形態によって提供された重要な特徴および機能のうちのいくつかである。
【００５６】
１．  ＷＬＡＮドメインを介してＩＰをサポートする
２．  ＷＬＡＮアクセス・ゲートウェイ（ｗＰＤＩＦ−ＷＡＧ）発見機構
３．  専用トンネルの確立手順
４．  認証手順
‐ＵＥとＡＮ−ＡＡＡの間のＣＡＶＥ認証
‐ＵＥとＡＮ−ＡＡＡの間のＭＤ５−ＣＨＡＰ認証
‐ＰＤＳＮとＵＥの間のＰＡＰ／ＣＨＡＰ
５．  ネットワーク・アドレス変換（ＮＡＴ）キープアライブ（ＫＡ）手順
６．  専用のｃｄｍａ２０００パケット交換サポート（ＰＤＳＮによってサポートされたサービス）
７．  パケット交換サービスの動作のためのパケットカプセル化サポート
８．  専用トンネルのリリース手順
９．  ＤＨＣＰを使用した構成
１０．  ＡＰ間のハンドオフ（ＨＯ）
１１．  ＷｉＦｉおよび１ｘシステム上のデュアル・スタンバイ
１２．  ＳＳＤアップデート手順
[0046]   図４は、新しいＷＬＡＮオフロード・アーキテクチャとともに使用するためのプロトコル・スタック４００の例示的な実施形態を示す。例えば、プロトコル・スタック４００は、図３のネットワーク構成において示されるエンティティに関連付けられる。
【００５７】
[0047]   プロトコル・スタック４００は、デバイス１０２に関連付けられたスタック４０２と、アクセス・ポイント３０８に関連付けられたスタック４０４と、ｗＰＤＩＦ ３１０に関連付けられたスタック４０６と、ＰＤＳＮ ３１０に関連付けられたスタック４０８を備える。セルラ・ネットワークからＷＬＡＮネットワークへオフロードされるデータは、そのパスに沿ったネットワーク上のキー・ノードおよびデバイスにおいて図示されたプロトコル・スタックを横断する必要がある。
【００５８】
[0048]   図５は、新しいＷＬＡＮオフロード・アーキテクチャとともに使用するためにコール・フロー５００の例示的な実施形態を示す。例えば、コール・フロー５００は、ネットワーク３００およびプロトコル・スタック４００に関して記載される。例えば、コール・フロー５００は、デバイス１０２、基地局３１４、アクセス・ポイント３０８、ｗＰＤＩＦ ３０８、ＡＮ−ＡＡＡ ３１６、およびＰＤＳＮ ３１２間の相互作用を例示する。コール・フロー５００の動作の１つ以上は、例えば、図２に示されるデバイス２００によって、実行されることができる。
【００５９】
[0049]   ５０２では、１ｘ結合が、デバイス１０２と基地局３１４の間で形成される。例えば、モデム・セクション２０４は、セルラ・インターフェース２２０を使用して基地局３１４で１ｘ結合を確立するように動作する。
【００６０】
[0050]   ５０４では、結合が、デバイス１０２とＷＬＡＮアクセス・ポイント３１０の間で形成される。例えば、アプリケーション・セクション２０２は、ＷＬＡＮインターフェース２１２を使用してアクセス・ポイント３１０で結合を確立するように動作する。
【００６１】
[0051]   ５０６では、ＷＬＡＮ動作が開始される。ＳＩＰ登録が実行され、ＣＴトンネルが確立される。例えば、アプリケーション・セクション２０２は、ＷＬＡＮインターフェース２１２を使用してこの機能を実行するように動作する。
【００６２】
[0052]   ５０８では、パケット・データ・セクションの手順が、最初に確立するように実行され、その後、ＰＰＰセッションを終了する。例えば、アプリケーション・セクション２０２は、ＷＬＡＮインターフェース２１２を使用してこの機能を実行するように動作する。
【００６３】
[0053]   ５１０では、ＷＬＡＮ動作が開始される。例えば、ＳＩＰ非登録が実行され、ＣＴトンネルが終了する。例えば、アプリケーション・セクション２０２は、ＷＬＡＮインターフェース２１２を使用してこの機能を実行するように動作する。
【００６４】
[0054]   ５１２では、ＷＬＡＮアクセス・ポイント３１０は、デバイス１０２から分離される。例えば、アプリケーション・セクション２０２は、ＷＬＡＮインターフェース２１２を使用してこの機能を実行するように動作する。
【００６５】
例示的な実現
[0055]   図６は、新しいＷＬＡＮオフロード・アーキテクチャ６００の例示的な実施形態を示す。例えば、アーキテクチャ６００は、図２に示されるアーキテクチャ２００の１つの例示的な実現である。アーキテクチャ６００は、アプリケーション・プロセッサ６０２およびモデム・プロセッサ６０４を備える。本明細書において、（単数または複数の）任意の適切なオペレーティング・システムが、アプリケーション・プロセッサ６０２およびモデム・プロセッサ６０４上で実行され得る。セルラ（例えば、３ｇｐｐ２）コア・ネットワークからのサービスが必要であるアプリケーションは、ブロック「３ｓｐｐ２ ａｐｐ」６０６によって表される。「３ｇｐｐ２ａｐｐ」６０６は、３ｇｐｐ２コア・ネットワークにおけるサーバでデータ転送を行なうために、ＯＳによって提供されるソケットＡＰＩを使用する。ＡＰＩは、ブロック「ＢＳＤソケットＡＰＩ」６０８によって表される。
【００６６】
[0056]   アーキテクチャ６００の残りのブロックは、逆方向リンク上でデバイスから送られるパケットが、無線で送られる前にどのように様々な層およびモジュールを横断するかを記載している以下のセクションで説明される。さらに、本明細書は、順方向リンク上でデバイスによって受信されるパケットが、アプリケーション６０６に到達する前にどのように様々な層およびモジュールを横断するかを記載することを提供する。
【００６７】
逆方向リンクのデータ・パス
[0057]   送信パス（逆方向リンク）に含まれる詳細なステップは、以下のように記載される。３ｇｐｐ２アプリケーション６０６によって使用されるソケットＡＰＩは、また、アプリケーション・プロセッサ６０２におけるＯＳの一部である、基となるＩＰプロトコル・スタックを使用する。ＯＳによるＴＣＰ／ＵＤＰ−ＩＰ処理後、パケットは、図７に示されるようになる。
【００６８】
[0058]   ｗＰＤＩＦ−ＷＡＧを発見するためのＩＭＳスタックからのＳＩＰパケットは、ＷＬＡＮエア・インターフェースを越えるように構成される。パケットは、図８に示されるようになる。
【００６９】
[0059] ＩＰパケットがＷＬＡＮアダプタ（インターフェース）６１２に対して指示されるべきかどうか、あるいはＣＤＭＡアダプタ（インターフェース）６１４に対して指示されるべきかどうかを決定するルーティング層ブロック６１０にルーティング・テーブルがある。ＩＭＳ−ＳＩＰパケットは、ルーティング層から、図６におけるパス（６４０）によって示されるＷＬＡＮの物理層およびＭＡＣである、ＷＬＡＮスタック６１６に進む。３ｇｐｐ２アプリケーション６０６からのレギュラー・データ・パケットは、「ＣＤＭＡインターフェース／アダプタ」６１４を越えるように、ルーティング・テーブルによって指示されるだろう。１つ以上のＣＤＭＡ層を越える必要がある任意のパケットは、モデム・プロセッサ６０４に渡る必要があり、図６のパス（６４２）をたどる。
【００７０】
[0060]   プロセッサ間のデータ転送を行なうモジュールは、ＱＭＩ／Ｒｍｎｅｔと称される。Ｒｍｎｅｔは、制御するためのＱＭＩ（クァルコム・メッセージング・インターフェース）およびレギュラー・データのためのものである。アプリケーション・プロセッサ６０２およびモデム・プロセッサ６０４上で、それぞれ実行中のピアＱＭＩ／Ｒｍｎｅｔモジュール（６１８、６２０）があり、それらは、共有メモリ・ドライバ（ＳＭＤ）６２２で通信する。ＱＭＩ／Ｒｍｎｅｔは、デュアル・プロセッサ・デバイスのために存在し得るが、新しい制御メッセージは、ＷＬＡＮオフロード・モードがアクティブであることを示すために、これらの実施形態の一部として構成され得る。
【００７１】
[0061]   一度、これらのパケットがモデム・プロセッサ６０４に到達し、ＲｍｎｅｔおよびＲｍインターフェースから出てくると、これらのパケットがネイティブ・セルラ・エア・インターフェースに進むべきかどうか、あるいはＷＬＡＮオフロード・インターフェースに進むべきかどうかについて、モデム・プロセッサ６０４でルーティング決定が下される。両方のケースにおいて、パケットは、ＨＤＬＣフレーム化およびＰＰＰカプセル化され、パケットは、図９に示されるようになるだろう。
【００７２】
[0062]   デバイスが、（ＷＬＡＮのない）セルラ・カバレッジのエリア内のみにある場合、あるいはＷＬＡＮオフロード・インターフェースが（故障のように）何らかの理由のためにセットアップされない場合、パケットは、図６におけるパス（６４４）をたどるだろう。これらは、ＣＤＭＡインターフェース６２４に送られ、ブロック６２６におけるＰＰＰカプセル化の後、ＲＬＰ層（無線リンクプロトコル）６２８に送られる。パケットは、ＲＬＰ６２８から、ＣＤＭＡプロトコル・スタック（ＣＤＭＡのＭＡＣ／ＰＨＹ層）６３０に送られる。パケットは、図１０に示されるとおりである。
【００７３】
[0063]   あるいは、デバイスがＷＬＡＮカバレッジ・エリア内にあり、ＷＬＡＮオフロード・インターフェースがセットアップされた場合、パケットは、図６におけるパス（６４６）をたどるだろう。これらは、ＷＬＡＮ Ｉフェース・ブロック６３２に送られるだろう。ブロック６３２におけるＰＰＰカプセル化の後、これらは、専用の層６３４に送られるだろう。専用の層６３４がその処理および専用のヘッダを加えた後、パケットは、図１１に示されるようになる。
【００７４】
[0064]   その後、パケットは、「モデム・エンドポイント」６３６と呼ばれるこれらの実施形態の一部として提供されたモジュールに送られる。「モデム・エンドポイント」の目的は、セクションとの間のプロセッサ間通信のために使用されるあらゆる物理媒体を使用して「アプリケーション・エンドポイント」６３８として表されるアプリケーション・セクション上で、それの対応するものを使用してモデム６０４とアプリケーション・プロセッサ６０２の間で通信チャネルをオープン（open）および維持することである。
【００７５】
[0065]   この例示的な実施形態において、共有メモリ（ＳＭＤ）６２２は、メディアとして使用される。しかしながら、それは、ＵＡＲＴ、ＵＳＢ、等のような他の機構であることができる。アプリケーション・エンドポイント６３８は、アプリケーション・プロセッサ上のＯＳによって提供されたＩＰプロトコル・スタックを使用する。この時、パケットがｗＰＤＩＦ−ＷＡＧへのＷＬＡＮチャネルを越えることができるように、ＯＳにおけるルーティング層６１０は、外部のＩＰヘッダを検査し、これらのパケットをＷＬＡＮアダプタ（インターフェース）６１２で送ることを知っている。パケットは、図１２に示されるようになる。
【００７６】
順方向リンクのデータ・パス
[0066]   順方向リンクに含まれる詳細な動作は、以下のように記載される。パケットがＣＤＭＡエア・インターフェース上のデバイスによって受信された場合、それは、図１３に示されるとおりである。デバイスが、（ＷＬＡＮのない）ＣＤＭＡカバレッジのエリア内のみにある場合、あるいはＷＬＡＮオフロード・インターフェースが（故障のような）何らかの理由のためにセットアップされていない場合、例は、アプリケーション・データとなるだろう。
【００７７】
[0067]   これらのパケットは、モデム・プロセッサ６０４で受信され、ＣＤＭＡプロトコル・スタック６３０を上り、ＣＤＭＡ  ＭＡＣヘッダが取り除かれる。その後、パケットは、ＲＬＰ層６２８を通り、ＲＬＰヘッダが取り除かれる。その後、パケットは、ＰＰＰ層６２６に到達し、パケットは、図１４に示されるようになる。一度、ＰＰＰ層６２６がその処理を行なうと、ＰＰＰヘッダは取り除かれ、パケットは図１５に示されるとおりである。
【００７８】
[0068]   その後、パケットは、図６のパス（６４４）をたどる。例えば、これらは、ＣＤＭＡデータＵｍインターフェース６２４を通り、その後、それらはアプリケーション・プロセッサ６０２に渡って送られる必要があるように、ＲｍインターフェースおよびＲｍｎｅｔ６２０の上を通る。この例に示される媒体は、共有メモリ６２２であるが、上述されたように、これは、同様に任意の他のメディアでもあることができる。
【００７９】
[0069]   ここで、パケットは、図６におけるパス（６４２）をたどる。アプリケーション・プロセッサ６０２におけるピアＲｍｎｅｔ６１８は、パケットを受信し、それらをＯＳのＣＤＭＡアダプタ／インターフェース６１４に配信する。パケットは、ＴＣＰ／ＵＤＰ／ＩＰヘッダが取り除かれ、アプリケーション・ペイロードがソケットＡＰＩを通してユーザ・アプリケーション６０６に配信されるＯＳのＩＰスタックを上る。
【００８０】
[0070]   パケットがＷＬＡＮエア・インターフェースに到着する場合、それらは２つのタイプであることができる。第１のパケットのタイプは、図１６に示される。例は、ＳＩＰサーバからのデバイス上のＩＭＳスタックを対象としたＳＩＰパケットである。これらのパケットは、図６に示されるパス（６４０）をたどる。それらは、ＷＬＡＮプロトコルを上り、その後、ＴＣＰ／ＵＤＰ／ＩＰヘッダが取り除かれ、アプリケーション・ペイロードがソケットＡＰＩを通してアプリケーションに配信されるＩＰプロトコル・スタックの上に上る。
【００８１】
[0071]   ＷＬＡＮエア・インターフェースに到着する第２のパケットのタイプは図１７に示される。これらは、３ｇｐｐ２コア・ネットワークから生じ、ＷＬＡＮエア・インターフェース上に配信されている「ＷＬＡＮオフロード」トンネル・パケットである。これらパケットは、図６におけるパス（６４６）をたどる。 これらは、ＷＬＡＮプロトコルを上り、その後、外部のＵＤＰ／ＩＰヘッダが取り除かれ、ペイロードがアプリケーション・エンドポイント６３８に配信されるＩＰプロトコルの上に上る。この時点で、パケットは、図１８に示されるようになる。
【００８２】
[0072]   アプリケーション・エンドポイント６３８は、ＳＭＤ６２２を通して、これらのパケットをそのピア・エンティティ、モデム・プロセッサ６０４上のモデム・エンドポイント６３６、に送る。モデム・エンドポイント６３６は、専用のヘッダが取り除かれた専用の層６３４にパケットを送る。ここで、パケットは、図１４に示されるようになる。
【００８３】
[0073]   パケットは、図１５と同様に見えるように、それらがＨＤＬＣ非フレーム化およびＰＰＰ非カプセル化されたＰＰＰ層を通る。パケットは、ここで、これらのパケットがＲｍインターフェース６２０に進むように意図されていることを知っているＷＬＡＮオフロード・インターフェース６３２に進む。Ｒｍインターフェース６２０において、これらのパケットは、Ｒｍｎｅｔを使用してアプリケーション・プロセッサへのＳＭＤを渡る必要がある。ここで、以前のように、まるでそれらがネイティブＣＤＭＡインターフェース上で受信されたのと同様に、パケットはパス（６４２）をたどる。アプリケーション・プロセッサ６０２におけるピアＲｍｎｅｔ６３８は、パケットを受信し、それらをＯＳのＣＤＭＡアダプタ／インターフェース６１４に配信する。パケットは、ＴＣＰ／ＵＤＰ／ＩＰヘッダが取り除かれ、アプリケーション・ペイロードがソケットＡＰＩを通してユーザ・アプリケーション６０６に配信されるＯＳのＩＰスタックを上る。
【００８４】
要約
[0074]   様々な例示的な実施形態において、新しいＷＬＡＮオフロード・アーキテクチャは、以下の制約および目的を有するスマートフォンのデュアル・プロセッサ・アーキテクチャにおいて、上記機能を取得するように構成される。
【００８５】
１．  アプリケーション・セクションは、容易に修正することができない高レベルな第３者のＯＳを実行する。
【００８６】
２．  アプリケーションは、高レベルなＯＳで実行する。
【００８７】
３．  アプリケーションは、それらがどのようにサービスを受けているのかを、すなわち、それがネイティブＣＤＭＡエア・インターフェースを直接介しているのかどうか、あるいはＷＬＡＮを直接介しているのかどうかを、認識すべきではない。
【００８８】
４．  アプリケーション・セクション上のＯＳは、ＷＬＡＮスタックと同様に、内臓のＩＰプロトコル・スタックを有し得る。
【００８９】
５．  （例えば、３ｇｐｐ２特有の）セルラ技術のプロトコル・スタックは、モデム・セクション上で実行する。
【００９０】
６．  セルラ・キャリア専用の任意の層は、モデム・セクション上で実行する。
【００９１】
７．  任意のＳＩＭカード（３ｇｐｐ２の場合はＣＳＩＭまたはＲＵＩＭ）が、モデム・セクションに添付される。
【００９２】
８．  ＷＬＡＮオフロード・アーキテクチャは、ごくわずかの変更を備えた異なる製品とともに使用するために構成されることができる。
【００９３】
９．  同じＷＬＡＮオフロード・アーキテクチャは、ＵＭＴＳまたはＬＴＥのような様々なセルラ技術に適用可能であることができる。
【００９４】
[0075]   図１９は、新しいＷＬＡＮオフロード・アーキテクチャの例示的な実施形態を使用する送信されたデータための方法１９００の例示的な実施形態を示す。例えば、方法１９００は、図２に示される新しいＷＬＡＮオフロード・アーキテクチャ２００とともに使用するのに適している。 例示的な実施形態において、以下に記載された動作は、メモリに記憶された１つ以上の命令を実行するアプリケーション・プロセッサ２０２およびモデム・プロセッサ２０４によって実行される。
【００９５】
[0076]   ブロック１９０２において、ＩＰパケットは、送信されるべきデータから形成される。例えば、オペレーティング・システム２０６は、アプリケーション２３０によって送信されるべきデータからＩＰパケットを形成するように動作する。
【００９６】
[0077]   ブロック１９０４において、セルラ・プロトコルは、セルラ・プロトコル・パケットを形成するためにＩＰパケットに適用される。例えば、オフロード・モジュール２１６は、セルラ・プロトコル・パケットを形成するために、セルラ・プロトコルをＩＰパケットに適用する。
【００９７】
[0078]   ブロック１９０６において、セルラ・プロトコル・パケットは、外部のＩＰトンネル・パケットにカプセル化される。例えば、アプリケーション・エンドポイント２１０は、セルラ・プロトコル・パケットを外部のＩＰトンネル・パケットにカプセル化するように動作する。
【００９８】
[0079]   ブロック１９０８において、外部のＩＰトンネル・パケットは、ＷＬＡＮ通信チャネルを介して送信される。例えば、ＷＬＡＮ Ｉ／Ｆ２１２は、ＷＬＡＮチャネル２２４を介して外部のＩＰトンネル・パケットを送信するように動作する。
【００９９】
[0080]   従って、方法１９００は、新しいＷＬＡＮオフロード・アーキテクチャを使用してデータを送信するように動作する。方法１９００の動作は、記載された例示的な実施形態の範囲内で再編成または修正され得ることに注意されたい。
【０１００】
[0081]   図２０は、新しいＷＬＡＮオフロード・アーキテクチャの例示的な実施形態を使用してデータを受信するための方法２０００の例示的な実施形態を示す。例えば、方法２０００は、図２に示される新しいＷＬＡＮオフロード・アーキテクチャ２００とともに使用するのに適している。 例示的な実施形態において、以下に記載された動作は、メモリに記憶された１つ以上の命令を実行するアプリケーション・プロセッサ２０２およびモデム・プロセッサ２０４によって実行される。
【０１０１】
[0082]   ブロック２００２において、外部のＩＰトンネル・パケットは、ＷＬＡＮ通信チャネルを介して受信される。例えば、ＷＬＡＮ Ｉ／Ｆ２１２は、ＷＬＡＮチャネル２２４を介して外部のＩＰトンネル・パケットを受信するように動作する。
【０１０２】
[0083]   ブロック２００４において、セルラ・プロトコル・パケットは、外部のＩＰトンネル・パケットから抽出される。例えば、アプリケーション・エンドポイント２１０は、セルラ・プロトコル・パケットを外部のＩＰトンネル・パケットから抽出するように動作する。
【０１０３】
[0084]   ブロック２００６において、セルラ・プロトコルは、ＩＰパケットを形成するためにセルラ・プロトコル・パケットから取り除かれる。例えば、オフロード・モジュール２１６は、ＩＰパケットを形成するために、セルラ・プロトコル・パケットからセルラ・プロトコルを取り除く。
【０１０４】
[0085]   ブロック２００８において、受信されたデータは、ＩＰパケットから抽出される。例えば、オペレーティング・システム２０６は、ＩＰパケットから受信されたデータを抽出するように動作し、アプリケーション２３０にこのデータが提供される。
【０１０５】
[0086]   従って、方法２０００は、新しいＷＬＡＮオフロード・アーキテクチャを使用してデータを受信するように動作する。方法２０００の動作は、記載された例示的な実施形態の範囲内で再編成または修正され得ることに注意されたい。
【０１０６】
[0087]   図２１は、ＷＬＡＮオフロードを実行するための例示的な装置を示す。例えば、デバイス２１００は、図２または図６に示されるデバイスで使用するのに適している。一態様において、装置２１００は、本願に記載されたようなデバイスにおいてＷＬＡＮオフロードの態様を提供するように構成される１つ以上のモジュールを備える少なくとも１つの集積回路によって実現される。例えば、一態様において、各モジュールは、ハードウェアおよび／またはソフトウェアを実行するハードウェアを備える。
【０１０７】
[0088]   一態様では、ＯＳ２０６を備える装置２１００は、送信されるべきデータからＩＰパケットを形成するための手段（２１０２）を備える第１のモジュールを備える。
【０１０８】
[0089]   一態様では、ＯＳ２１４を備える装置２１００は、また、セルラ・プロトコル・パケットを形成するためにセルラ・プロトコルをＩＰパケットに適用するための手段（２１０４）を備える第２のモジュールを備える。
【０１０９】
[0090]   一態様では、アプリケーション・エンドポイント２１０を備える装置２１００は、また、外部のＩＰトンネル・パケットを形成するためにセルラ・プロトコルをカプセル化するための手段を備える手段（２１０６）を備える第３のモジュールを備える。
【０１１０】
[0091]   一態様では、ＷＬＡＮインターフェース２１２を備える装置２１００は、また、ＷＬＡＮ通信チャネルを介して外部のＩＰパケットを送信するための手段（２１０８）を備える第４のモジュールを備える。
【０１１１】
[0092]   図２２は、ＷＬＡＮオフロードを実行するための例示的な装置を示す。例えば、装置２２００は、図２または図６に示されるデバイスで使用するのに適している。  一態様において、装置２２００は、本願に記載されたようなデバイスにおいてＷＬＡＮオフロードの態様を提供するように構成される１つ以上のモジュールを備える少なくとも１つの集積回路によって実現される。例えば、一態様において、各モジュールは、ハードウェアおよび／またはソフトウェアを実行するハードウェアを備える。
【０１１２】
[0093]   一態様では、ＷＬＡＮインターフェース２１２を備える装置２２００は、ＷＬＡＮ通信チャネルを介して外部のＩＰパケットを受信するための手段（２２０２）を備える第１のモジュールを備える。
【０１１３】
[0094]   一態様では、アプリケーション・エンドポイント２１０を備える装置２２００は、また、外部のＩＰトンネル・パケットからセルラ・プロトコルを抽出するための手段を備える第２のモジュール（２２０４）を備える第２のモジュール備える。
【０１１４】
[0095]   一態様では、ＯＳ２１４を備える装置２２００は、また、ＩＰパケットを形成するためにセルラ・プロトコル・パケットからセルラ・プロトコルを取り除くための手段（２２０６）を備える第３のモジュールを備える。
【０１１５】
[0096]   一態様では、ＯＳ２０６を備える装置２１００は、また、ＩＰパケットから受信されたデータを抽出するための手段（２１０８）を備える第４のモジュールを備る。
【０１１６】
[0097]   無線デバイスに関して記載されているが、本願に記載された装置および方法は、ネットワーク・デバイス、基地局、セルラ・ホーム・ネットワーク・エンティティ、または任意の他のネットワーク・エンティティに等しく適用可能であることに注意されたい。従って、例えば、セルラ・ホーム・ネットワークは、ＷＬＡＮオフロードを促進するために、上述された任意の装置を備える、および／または上述された任意の方法を実行し得る。例えば、セルラ・ホーム・ネットワークから無線デバイスに送信されるべきデータは、ＩＰパケットと、セルラ・プロトコル・パケットを形成するためにＩＰパケットに適用されるセルラ・プロトコルと、外部のＩＰトンネル・パケットにカプセル化されるセルラ・プロトコル・パケットと、ＷＬＡＮ通信チャネルを介して無線デバイスに送信されるＩＰトンネル・パケットとに形成され得る。
【０１１７】
[0098]   ここに開示された態様に関して記載されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェア・コンポーネント、または、ここに説明される機能を実行するように設計されたこれら任意の組み合わせとともに実現または実行され得る。汎用プロセッサはマイクロプロセッサでありうるが、代替例として、このプロセッサは、任意の従来型のプロセッサ、コントローラ、マイクロコントローラ、あるいはステートマシンであり得る。プロセッサはまた、例えば、ＤＳＰとマクロプロセッサ、複数のマイクロプロセッサ、ＤＳＰコアに連結した１つ以上のマイクロプロセッサ、または任意の他のそのような構成の組み合わせのような、計算デバイスの組み合わせとしてインプリメントされ得る。
【０１１８】
[0099]   本願で開示された態様に関連して説明された方法またはアルゴリズムのステップは、ハードウェア、プロセッサによって実行されるソフトウェア・モジュール、または２つの組み合わせで直接具現化され得る。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術で周知の任意の他の形態の記憶媒体内に存在し得る。例示的な記憶媒体は、プロセッサに結合されており、これによって、プロセッサは、記憶媒体から情報を読み取り、記憶媒体に情報を書き込むことができる。あるいは、記憶媒体はプロセッサに統合され得る。プロセッサおよび記憶媒体は、ＡＳＩＣに存在し得る。ＡＳＩＣは、無線通信デバイスに存在し得る。あるいは、プロセッサおよび記憶媒体は、無線通信デバイスにおける離散コンポーネントとして存在し得る。
【０１１９】
[00100]    開示された態様の説明は、いずれの当業者でも本発明を作り出し、使用することを可能にさせるために提供されている。これらの態様への様々な変更は、当業者に容易に理解され、本願で定義される一般的な原理は、本発明の精神または範囲から逸脱することなく、他の態様、例えば、インスタント・メッセージング・サービス、または任意の一般的な無線データ通信のアプリケーション、に適応され得る。したがって、本発明は、本願に示された態様に限定されることは意図しておらず、本願に開示された原理および新規な特徴と一致する最も広い範囲が付与されるべきである。「例示的」という用語は、本願では、「例、事例、または実例としての役割を果たす」という排他的な意味で用いられる。「例示的」なものとして本願に説明される任意の態様は、必ずしも、他の態様よりも好ましい、または利点を有するものと解釈されるべきではない。
【０１２０】
[00101］  従って、例示的な実施形態の態様が、本願に例示および記載されているが、
それらの精神または本質的な特徴から逸脱することなく、様々な変更が態様に対して行わ
れ得ることを理解するだろう。よって、本開示および本願明細書は、限定されるものでは
ないが、以下の請求項に記述されている本発明の範囲の実例となるように意図される。
なお、以下に、出願当初の特許請求の範囲に記載された発明を付記する。
［Ｃ１］ＷＬＡＮオフロードを実行するための装置であって、
送信されるべきデータからＩＰパケットを形成するように構成されたアプリケーション・プロセッサと、
セルラ・プロトコル・パケットを形成するためにセルラ・プロトコルを前記ＩＰパケットに適用するように構成されたモデム・プロセッサと、
外部のＩＰトンネル・パケットを形成するために前記セルラ・プロトコル・パケットをカプセル化するように構成されたエンドポイントと、
ＷＬＡＮ通信チャネルを介して前記外部のＩＰトンネル・パケットを送信するように構成されたＷＬＡＮインターフェースとを備える装置。
［Ｃ２］前記ＩＰパケットを前記アプリケーション・プロセッサから前記モデム・プロセッサにパスし、前記セルラ・プロトコル・パケットを前記モデム・プロセッサから前記エンドポイントにパスするように構成されたメモリをさらに備える、Ｃ１に記載の装置。
［Ｃ３］前記アプリケーション・プロセッサは、選択されたオペレーティング・システムを実行するように構成される、Ｃ１に記載の装置。
［Ｃ４］前記データは、前記選択されたオペレーティング・システムの下で実行中のアプリケーションに関連付けられる、Ｃ３に記載の装置。
［Ｃ５］前記モデム・プロセッサは、セルラ通信チャネルを介して前記セルラ・プロトコル・パケットを通信するように構成される、Ｃ１に記載の装置。
［Ｃ６］前記ＩＰパケットが、前記セルラ通信チャネルか、または前記ＷＬＡＮ通信チャネルかで送信されるべきかどうかを決定するように構成されたオフロード・モジュールをさらに備える、Ｃ５に記載の装置。
［Ｃ７］前記オフロード・モジュールは、 
前記ＷＬＡＮ通信チャネルが利用可能である場合、前記ＩＰパケットは、前記ＷＬＡＮ通信チャネルを介して送信されるべきであることを決定する、
前記ＷＬＡＮ通信チャネルが利用不可である場合、前記ＩＰパケットは、前記セルラ通信チャネルを介して送信されるべきであることを決定するように構成される、Ｃ６に記載の装置。
［Ｃ８］ＷＬＡＮオフロードを実行するための方法であって、
送信されるべきデータからＩＰパケットを形成することと、
セルラ・プロトコル・パケットを形成するためにセルラ・プロトコルを前記ＩＰパケットに適用することと、
外部のＩＰトンネル・パケットを形成するために前記セルラ・プロトコル・パケットをカプセル化することと、
ＷＬＡＮ通信チャネルを介して前記外部のＩＰトンネル・パケットを送信することとを備える方法。
［Ｃ９］前記セルラ・プロトコルを適用するためにメモリに前記ＩＰパケットをパスすることと、
前記外部のＩＰトンネル・パケットを形成するためのカプセル化のために前記メモリに前記セルラ・プロトコル・パケットをパスすることとをさらに備える、Ｃ８に記載の方法。
［Ｃ１０］選択されたオペレーティング・システムの下で実行中のアプリケーションから前記データを取得することをさらに備える、Ｃ８に記載の装置。
［Ｃ１１］前記ＷＬＡＮ通信チャネルは、前記ＷＬＡＮオフロードを実行可能であることを決定することをさらに備える、Ｃ８に記載の方法。
［Ｃ１２］前記ＷＬＡＮ通信チャネルを介して前記外部のＩＰトンネル・パケットをセルラ・ホーム・ネットワークに送信することをさらに備える、Ｃ１１に記載の方法。
［Ｃ１３］ＷＬＡＮオフロードを実行するための装置であって、
送信されるべきデータからＩＰパケットを形成するための手段と、
セルラ・プロトコル・パケットを形成するためにセルラ・プロトコルを前記ＩＰパケットに適用するための手段と、
外部のＩＰトンネル・パケットを形成するために前記セルラ・プロトコル・パケットをカプセル化するための手段と、
ＷＬＡＮ通信チャネルを介して前記外部のＩＰトンネル・パケットを送信するための手段とを備える装置。
［Ｃ１４］前記セルラ・プロトコルを適用するためにメモリに前記ＩＰパケットをパスするための手段と、
前記外部のＩＰトンネル・パケットを形成するためのカプセル化のために前記メモリに前記セルラ・プロトコル・パケットをパスするための手段とをさらに備える、Ｃ１３に記載の装置。
［Ｃ１５］選択されたオペレーティング・システムの下で実行中のアプリケーションから前記データを取得するための手段をさらに備える、Ｃ１３に記載の装置。
［Ｃ１６］前記ＩＰパケットは、セルラ通信チャネルか、または前記ＷＬＡＮ通信チャネルかで送信されるべきかどうかを決定するための手段をさらに備える、Ｃ１３に記載の装置。
［Ｃ１７］前記ＷＬＡＮ通信チャネルが利用可能である場合、前記ＩＰパケットは、前記ＷＬＡＮ通信チャネルを介して送信されるべきであることを決定するための手段と、
前記ＷＬＡＮ通信チャネルが利用不可である場合、前記ＩＰパケットは、前記セルラ通信チャネルを介して送信されるべきであることを決定するための手段とをさらに備える、Ｃ１６に記載の装置。
［Ｃ１８］ＷＬＡＮオフロードを実行するためのコンピュータ・プログラム製品であって、
送信されるべきデータからＩＰパケットを形成する、
セルラ・プロトコル・パケットを形成するためにセルラ・プロトコルを前記ＩＰパケットに適用する、
外部のＩＰトンネル・パケットを形成するために前記セルラ・プロトコル・パケットをカプセル化する、
ＷＬＡＮ通信チャネルを介して前記外部のＩＰトンネル・パケットを送信するためのプロセッサによって実行可能なコードを具体化することを備える、非一時的なコンピュータ可読媒体。
［Ｃ１９］前記プロセッサに、
前記セルラ・プロトコルを適用するためにメモリに前記ＩＰパケットをパスさせる、
前記外部のＩＰトンネル・パケットを形成するためのカプセル化のために前記メモリに前記セルラ・プロトコル・パケットをパスさせるように構成されるコードをさらに備える、Ｃ１８に記載のコンピュータ可読媒体。
［Ｃ２０］前記プロセッサに、前記ＷＬＡＮ通信チャネルは、前記ＷＬＡＮオフロードを実行可能であることを決定させるように構成されたコードさらに備える、Ｃ１８に記載のコンピュータ可読媒体。
［Ｃ２１］前記プロセッサに、前記ＷＬＡＮ通信チャネルを介して前記外部のＩＰトンネル・パケットをセルラ・ホーム・ネットワークに送信させるように構成されるコードをさらに備える、Ｃ１８に記載のコンピュータ可読媒体。
［Ｃ２２］ＷＬＡＮオフロードを実行するための装置であって、
ＷＬＡＮ通信チャネルを介して外部のＩＰトンネル・パケットを受信するように構成されたＷＬＡＮインターフェースと、
前記外部のＩＰトンネル・パケットからセルラ・プロトコル・パケットを抽出するように構成されたエンドポイントと、 
ＩＰパケットを形成するためにセルラ・プロトコルを前記セルラ・プロトコル・パケットから取り除くように構成されたモデム・プロセッサと、
前記ＩＰパケットから受信されたデータを抽出するように構成されたアプリケーション・プロセッサとを備える装置。
［Ｃ２３］前記ＩＰパケットを前記モデム・プロセッサから前記アプリケーション・プロセッサにパスし、前記セルラ・プロトコル・パケットを前記エンドポイントから前記モデム・プロセッサにパスするように構成されたメモリをさらに備える、Ｃ２２に記載の装置。
［Ｃ２４］前記アプリケーション・プロセッサは、選択されたオペレーティング・システムを実行するように構成される、Ｃ２２に記載の装置。
［Ｃ２５］前記データは、前記選択されたオペレーティング・システムの下で実行中のアプリケーションに関連付けられる、Ｃ２４に記載の装置。
［Ｃ２６］前記モデム・プロセッサは、セルラ通信チャネルを介して前記セルラ・プロトコル・パケットを通信するように構成される、Ｃ２２に記載の装置。
［Ｃ２７］ＷＬＡＮオフロードを実行するための方法であって、
ＷＬＡＮ通信チャネルを介して外部のＩＰトンネル・パケットを受信することと、
前記外部のＩＰトンネル・パケットからセルラ・プロトコル・パケットを抽出することと、
ＩＰパケットを形成するためにセルラ・プロトコルを前記セルラ・プロトコル・パケットから取り除くことと、
前記ＩＰパケットから受信されたデータを抽出することとを備える方法。
［Ｃ２８］前記ＩＰパケットを形成するために前記セルラ・プロトコルを取り除くようにメモリに前記セルラ・プロトコル・パケットをパスすることと、
前記受信されたデータを抽出するために前記メモリに前記ＩＰパケットをパスすることとをさらに備える、Ｃ２７に記載の方法。
［Ｃ２９］選択されたオペレーティング・システムの下で実行中のアプリケーションのために前記受信されたデータを抽出することをさらに備える、Ｃ２７に記載の装置。
［Ｃ３０］前記ＷＬＡＮ通信チャネルを介して前記外部のＩＰトンネル・パケットをセルラ・ホーム・ネットワークから受信することをさらに備える、Ｃ２７に記載の方法。
［Ｃ３１］ＷＬＡＮオフロードを実行するための装置であって、
ＷＬＡＮ通信チャネルを介して外部のＩＰトンネル・パケットを受信するための手段と、
前記外部のＩＰトンネル・パケットからセルラ・プロトコル・パケットを抽出するための手段と、
ＩＰパケットを形成するためにセルラ・プロトコルを前記セルラ・プロトコル・パケットから取り除くための手段と、
前記ＩＰパケットから受信されたデータを抽出するための手段とを備える装置。
［Ｃ３２］前記ＩＰパケットを形成するために前記セルラ・プロトコルを取り除くようにメモリに前記セルラ・プロトコル・パケットをパスするための手段と、
前記受信されたデータを抽出するために前記メモリに前記ＩＰパケットをパスするための手段とをさらに備える、Ｃ３１に記載の装置。
［Ｃ３３］選択されたオペレーティング・システムの下で実行中のアプリケーションのために前記受信されたデータを抽出するための手段をさらに備える、Ｃ３１に記載の装置。
［Ｃ３４］前記ＷＬＡＮ通信チャネルを介して前記外部のＩＰトンネル・パケットをセルラ・ホーム・ネットワークから受信するための手段をさらに備える、Ｃ３１に記載の装置。
［Ｃ３５］ＷＬＡＮオフロードを実行するためのコンピュータ・プログラム製品であって、
ＷＬＡＮ通信チャネルを介して外部のＩＰトンネル・パケットを受信する、
前記外部のＩＰトンネル・パケットからセルラ・プロトコル・パケットを抽出する、
ＩＰパケットを形成するためにセルラ・プロトコルを前記セルラ・プロトコル・パケットから取り除く、
前記ＩＰパケットから受信されたデータを抽出するためのプロセッサによって実行可能なコードを具体化することを備える、非一時的なコンピュータ可読媒体。
［Ｃ３６］前記プロセッサに、
前記ＩＰパケットを形成するために前記セルラ・プロトコルを取り除くようにメモリに前記セルラ・プロトコル・パケットをパスさせる、
前記受信されたデータを抽出するためにメモリに前記ＩＰパケットをパスさせるように構成されたコードをさらに備える、Ｃ３５に記載のコンピュータ可読媒体。
［Ｃ３７］前記プロセッサに、選択されたオペレーティング・システムの下で実行中のアプリケーションのために前記受信されたデータを抽出させるように構成されたコードをさらに備える、Ｃ３５に記載のコンピュータ可読媒体。
［Ｃ３８］前記プロセッサに、前記ＷＬＡＮ通信チャネルを介して前記外部のＩＰトンネル・パケットをセルラ・ホーム・ネットワークから受信させるように構成されたコードをさらに備える、Ｃ３５に記載のコンピュータ可読媒体。
【図１】
0005784758.tif 000002
【図２】
0005784758.tif 000003
【図３】
0005784758.tif 000004
【図４】
0005784758.tif 000005
【図５】
0005784758.tif 000006
【図６】
0005784758.tif 000007
【図７】
0005784758.tif 000008
【図８】
0005784758.tif 000009
【図９】
0005784758.tif 000010
【図１０】
0005784758.tif 000011
【図１１】
0005784758.tif 000012
【図１２】
0005784758.tif 000013
【図１３】
0005784758.tif 000014
【図１４】
0005784758.tif 000015
【図１５】
0005784758.tif 000016
【図１６】
0005784758.tif 000017
【図１７】
0005784758.tif 000018
【図１８】
0005784758.tif 000019
【図１９】
0005784758.tif 000020
【図２０】
0005784758.tif 000021
【図２１】
0005784758.tif 000022
【図２２】
0005784758.tif 000023